(57)【要約】【課題】光ディスク記録装置において、反りのある光ディスクのデータ記録品質の向上を図る。【解決手段】光ディスク記録装置１は、光ディスク２にレーザ光を照射する光ピックアップ１０と、光ピックアップ１０を駆動するため、トップパルスとマルチパルスとから成るレーザ変調信号を送出するレーザ駆動部と、上記各部を制御する制御部を備える。光ディスク２に反りがある場合、制御部は、その反り方向及び反り量に応じて、レーザ変調信号のトップパルスとマルチパルスのパルス幅を調整して設定する。このため、このようにして、光ピックアップ１０が出射するレーザ光のパワー量が調整されるので、反りに関わらず光ディスク２の受光パワー量を一定に保つことができ、反りのある光ディスクのデータ記録品質の向上を図ることができる。【選択図】図４
2007310992.tif 000002
【特許請求の範囲】
【請求項１】
光ディスクに対してデータの記録／再生を行なうためのレーザ光を出射する光出射手段と、該レーザ光の光ディスクでの反射光を受光して電気信号を生成する受光手段とを有した光ピップアップと、
データ記録時に、予め定められたライトストラテジに基づくパルス列から成るレーザ変調信号を生成し、該信号を前記光出射手段に送出して、該光出射手段を駆動する駆動手段と、
前記受光手段により生成された電気信号に基づき、前記光出射手段によるレーザ光の焦点位置と光ディスク位置とのずれ量に対応するフォーカスエラー信号（ＦＥ信号という）を生成するＦＥ信号生成手段と、を備えた光ディスク記録装置において、
前記ＦＥ信号生成手段により生成されたＦＥ信号に基づき、光ディスクの反りの有無を検出し、反りが有る部位の反り方向及び反り量を計測する反り検出手段と、
光ディスクのうち前記反り検出手段により反りが検出された部位のアドレス毎に、この部位の反り方向及び反り量に応じて、前記駆動手段により生成されるレーザ変調信号のパルス幅を設定するパルス幅設定手段と、
光ディスクのうち前記反り検出手段により反りが検出された部位のアドレスと、この部位の反り方向及び反り量に応じて、前記パルス幅設定手段により設定されたレーザ変調信号のパルス幅と、を記憶する記憶手段と、を備え、
前記パルス幅設定手段は、光ディスクが前記光出射手段側に反っている場合、前記レーザ変調信号を成すパルスの立ち上がり時間を遅らせることによりパルス幅を狭めて設定し、光ディスクが前記光出射手段と反対側に反っている場合、前記レーザ変調信号を成すパルスの立ち上がり時間を早めることによりパルス幅を広げて設定し、
前記駆動手段は、反りがある部位のアドレスにデータを記録するとき、前記記憶手段に記憶されているパルス幅を持つレーザ変調信号でもって前記光出射手段を駆動することを特徴とする光ディスク記録装置。
【請求項２】
光ディスクに対してデータの記録／再生を行なうためのレーザ光を出射する光出射手段と、該レーザ光の光ディスクでの反射光を受光して電気信号を生成する受光手段とを有した光ピップアップと、
データ記録時に、予め定められたライトストラテジに基づくパルス列から成るレーザ変調信号を生成し、該信号を前記光出射手段に送出して、該光出射手段を駆動する駆動手段と、
前記受光手段により生成された電気信号に基づき、前記光出射手段によるレーザ光の焦点位置と光ディスク位置とのずれ量に対応するフォーカスエラー信号（ＦＥ信号という）を生成するＦＥ信号生成手段と、を備えた光ディスク記録装置において、
前記ＦＥ信号生成手段により生成されたＦＥ信号に基づき、光ディスクの反りの有無を検出し、反りが有る部位の反り方向及び反り量を計測する反り検出手段と、
光ディスクのうち前記反り検出手段により反りが検出された部位のアドレス毎に、この部位の反り方向及び反り量に応じて、前記駆動手段により生成されるレーザ変調信号のパルス幅を設定するパルス幅設定手段と、を備え、
前記駆動手段は、反りがある部位のアドレスにデータを記録するとき、前記パルス幅設定手段により設定されたパルス幅を持つレーザ変調信号でもって前記光出射手段を駆動することを特徴とする光ディスク記録装置。
【発明の詳細な説明】
【技術分野】
【０００１】
本発明は、光ディスクの反りを検出し、反りに応じたデータ記録を行なう光ディスク記録装置に関する。
【背景技術】
【０００２】
従来より、海外メーカ製の光ディスクには、面が反っているものがあり、内周と外周とで光ピックアップと光ディスクとの間の距離が大きく異なるため、内周のデータ記録品質と外周のそれとの間に大きな差異が生じる場合があった。このため、光ディスク内のデータ記録位置に関わりなく、一定のデータ記録品質を確保することが困難であった。
【０００３】
そこで、光ディスクの反りに応じて光ピックアップのチルト角を調整するため、光ピックアップを光ディスクの内周から外周方向にスレッド移動させて、光ピックアップによりアドレスとフォーカス誤差信号の検出時間間隔とを検出し、検出されたアドレスとフォーカス誤差信号の検出時間間隔とに基づいてアドレスと光ディスクの反りとの相関関係を判別するディスク装置が知られている（例えば、特許文献１参照）。このディスク装置は、判別されたアドレスと光ディスクの反りとの相関関係に基づいて光ピックアップのチルト角を調整する。
【０００４】
また、反りがある光ディスクに対して良好な読み書きを可能とするため、光ピックアップ内の対物レンズを保持するレンズホルダを、チルティングコイルによりチルト方向に可動に設けた光ピックアップ装置が知られている（例えば、特許文献２参照）。
【０００５】
さらに、光ディスクに反りがある場合、光ディスクに記録されたウォルブ信号を正確に読み出すことができないため、４個の受光素子により光ディスクでの反射光を受光し、この反射光に基づいてオフセット量を算出する光ディスク記録再生装置のレーザ出力制御方法が知られている（例えば、特許文献３参照）。この方法では、上記のオフセット量に基づき、光ディスクの反りに応じて、光ピックアップがトラック方向にオフセットされると共に、レーザの出力がオフセットされる。
【特許文献１】特開２００５−１５８１７９号公報
【特許文献２】特開２００３−１９６８６６号公報
【特許文献３】特開２００３−３０８３５号公報
【発明の開示】
【発明が解決しようとする課題】
【０００６】
しかしながら、特許文献１又は特許文献２に記載の技術では、光ディスクの反りがある部位にレーザ光を照射するとき、光ディスクと光ピックアップとの間の距離に合わせて、レーザ光のパワー量が調整されないので、光ディスクのデータ記録品質が低下することがあった。また、特許文献３に記載の技術では、光ディスクの反りに応じて、レーザ出力すなわちレーザ光のパワーがオフセットされるが、該文献では、このレーザ光のパワーオフセットについてその方具体的な方法の開示がなされていない。
【０００７】
本発明は、上記従来の問題を解決するためになされたものであり、光ディスクの反りに応じてレーザ光のパワー量を調整することにより、反りがある光ディスクのデータ記録品質のより一層の向上を図ることができる光ディスク記録装置を提供することを目的とする。
【課題を解決するための手段】
【０００８】
上記目的を達成するために請求項１の発明は、光ディスクに対してデータの記録／再生を行なうためのレーザ光を出射する光出射手段と、該レーザ光の光ディスクでの反射光を受光して電気信号を生成する受光手段とを有した光ピップアップと、データ記録時に、予め定められたライトストラテジに基づくパルス列から成るレーザ変調信号を生成し、該信号を前記光出射手段に送出して、該光出射手段を駆動する駆動手段と、前記受光手段により生成された電気信号に基づき、前記光出射手段によるレーザ光の焦点位置と光ディスク位置とのずれ量に対応するフォーカスエラー信号（ＦＥ信号という）を生成するＦＥ信号生成手段と、を備えた光ディスク記録装置において、前記ＦＥ信号生成手段により生成されたＦＥ信号に基づき、光ディスクの反りの有無を検出し、反りが有る部位の反り方向及び反り量を計測する反り検出手段と、光ディスクのうち前記反り検出手段により反りが検出された部位のアドレス毎に、この部位の反り方向及び反り量に応じて、前記駆動手段により生成されるレーザ変調信号のパルス幅を設定するパルス幅設定手段と、光ディスクのうち前記反り検出手段により反りが検出された部位のアドレスと、この部位の反り方向及び反り量に応じて、前記パルス幅設定手段により設定されたレーザ変調信号のパルス幅と、を記憶する記憶手段と、を備え、前記パルス幅設定手段は、光ディスクが前記光出射手段側に反っている場合、前記レーザ変調信号を成すパルスの立ち上がり時間を遅らせることによりパルス幅を狭めて設定し、光ディスクが前記光出射手段と反対側に反っている場合、前記レーザ変調信号を成すパルスの立ち上がり時間を早めることによりパルス幅を広げて設定し、前記駆動手段は、反りがある部位のアドレスにデータを記録するとき、前記記憶手段に記憶されているパルス幅を持つレーザ変調信号でもって前記光出射手段を駆動するものである。
【０００９】
請求項２の発明は、光ディスクに対してデータの記録／再生を行なうためのレーザ光を出射する光出射手段と、該レーザ光の光ディスクでの反射光を受光して電気信号を生成する受光手段とを有した光ピップアップと、データ記録時に、予め定められたライトストラテジに基づくパルス列から成るレーザ変調信号を生成し、該信号を前記光出射手段に送出して、該光出射手段を駆動する駆動手段と、前記受光手段により生成された電気信号に基づき、前記光出射手段によるレーザ光の焦点位置と光ディスク位置とのずれ量に対応するフォーカスエラー信号（ＦＥ信号という）を生成するＦＥ信号生成手段と、を備えた光ディスク記録装置において、前記ＦＥ信号生成手段により生成されたＦＥ信号に基づき、光ディスクの反りの有無を検出し、反りが有る部位の反り方向及び反り量を計測する反り検出手段と、光ディスクのうち前記反り検出手段により反りが検出された部位のアドレス毎に、この部位の反り方向及び反り量に応じて、前記駆動手段により生成されるレーザ変調信号のパルス幅を設定するパルス幅設定手段と、を備え、前記駆動手段は、反りがある部位のアドレスにデータを記録するとき、前記パルス幅設定手段により設定されたパルス幅を持つレーザ変調信号でもって前記光出射手段を駆動するものである。
【発明の効果】
【００１０】
請求項１又は請求項２の発明によれば、光ディスクの反り方向及び反り量に応じてレーザ変調信号のパルス幅が設定されるので、レーザ光のパワー量が調整される。このため、反りがある光ディスクのデータ記録品質の向上を図ることができる。
【発明を実施するための最良の形態】
【００１１】
本発明の一実施形態に係る光ディスク記録装置について図１乃至図４（ａ）（ｂ）（ｃ）を参照して説明する。図１は、光ディスク記録装置の構成を示す。光ディスク記録装置１は、光ディスク２に対してデータの記録／再生を行なうためのレーザ光を出射する半導体レーザダイオード１０１（光出射手段）と、該レーザ光の光ディスク２での反射光を受光して電気信号を生成する受光素子１０２（受光手段）とを有した光ピップアップ１０を備える。さらに、光ディスク記録装置１は、ターンテーブル１１ａに装填された光ディスク２を回転させるスピンドルモータ１１ｂと、光ピックアップ１０を駆動するため、レーザ変調信号を光ピックアップ１０に対して送信するレーザ駆動部１２と、光ピックアップ１０を光ディスク２の径方向に移動させる移動モータ１３と、受光素子１０２からの出力信号に基づいてＲＦ信号すなわち反射強度信号を生成するＲＦ信号処理部１４と、光ピックアップ１０のトラッキングサーボ及びフォーカスサーボを行なうサーボ制御部１５と、光ディスク２に係る情報を記憶する記憶部１６と、映像や音声等のデータが入力される信号入力部１７と、光ディスク２の再生データを出力する信号出力部１８と、上記各部を制御する制御部１９と、ユーザが制御部１９へ指示を行うために操作する操作部２０と、を備える。記憶部１６は、ＲＡＭ（Ｒａｎｄｏｍ  Ａｃｃｅｓｓ  Ｍｅｍｏｒｙ）等のメモリで構成される。このように構成された光ディスク記録装置１は、例えば映像、音楽、音声等のデータを記録及び／又は再生するＤＶＤ（Ｄｉｇｉｔａｌ  Ｖｅｒｓａｔｉｌｅ  Ｄｉｓｋ）レコーダ又はパソコンに搭載されるＤＶＤドライブである。また、光ディスク２はＤＶＤ−Ｒ（ＤＶＤ  Ｒｅｃｏｒｄａｂｌｅ）である。
【００１２】
光ディスク２は、ディスク挿入部（不図示）に挿入され、ターンテーブル１１ａに装填される。スピンドルモータ１１ｂは、制御部１９からの信号に基づき、ターンテーブル１１ａに装填された光ディスク２を回転させる。移動モータ１３は、リニアモータから成り、光ピックアップ１０を光ディスク２上でその半径方向に移動させる。
【００１３】
光ピックアップ１０は、光ディスク２に記録マークを形成することにより、光ディスク２に情報を記録し、また、光ディスク２に形成されている記録マークを検出することにより、光ディスク２に記録されている情報を読み取る。このような光ピックアップ１０は、半導体レーザダイオード（以下、半導体レーザと略す）１０１、受光素子１０２、コリメートレンズ１０３、ビームスプリッタ１０４、対物レンズ１０５及び集光レンズ１０６を備える。
【００１４】
半導体レーザ１０１は、レーザ駆動部１２により駆動されて光（破線で示す）を出射する。半導体レーザ１０１から出射された光は、コリメートレンズ１０３、ビームスプリッタ１０４及び対物レンズ１０５を介して光ディスク２上に集光照射される。また、光ディスク２で反射された光は、対物レンズ１０５、ビームスプリッタ１０４、集光レンズ１０６を介して、受光素子１０２上に集光される。対物レンズ１０５は、レンズホルダ１０７に保持されており、サーボ制御部１５により駆動制御されるフォーカシングコイル１０８及びトラッキングコイル１０９の磁気作用により、光ディスク２面と垂直な方向及び光ディスク２の半径方向に移動される。この対物レンズ１０５の移動により、半導体レーザ１０１から出射されて光ディスク２上に集光される光の集光点の位置及び集光スポット径が調整される。受光素子１０２は、受光面が複数の領域に、例えば４つの領域に分割されており、受光面毎に受光強度に応じた電気信号を出力する。
【００１５】
このような構成の光ピックアップ１０は、半導体レーザ１０１から出射される光を光ディスク２に照射して、光ディスク２の記録層を変質させることにより、光ディスク２に記録マークを形成する。記録層の変質した箇所では、光の反射率が変化する。光ピックアップ１０は、半導体レーザ１０１から出射される光を光ディスク２に照射して、受光素子１０２が光ディスク２からの反射光を受光することにより、光ディスク２の記録層に形成されている記録マークを検出する。記録マークを検出する際には、光ディスク２の記録層が変質しないように、半導体レーザ１０１から出射する光の強度が弱められる。
【００１６】
レーザ駆動部１２は、レーザ駆動回路で構成され、このレーザ駆動回路により、制御部１９からの信号に基づいて、半導体レーザ１０１から光ディスク２に対して照射するレーザ光のパワーや発光タイミングを制御する。データ記録時にこの制御を行なうため、レーザ駆動部１２は、予め定められたライトストラテジに基づくパルス列から成るレーザ変調信号を生成し、該信号を半導体レーザ１０１に送出して、半導体レーザ１０１を駆動する（駆動手段）。ライトストラテジに基づくレーザ光のパワーは、記録マークを形成するための記録パワーＰｗと、データを再生するためのバイアスパワーＰｂとに分けられる。これらの間には、Ｐｂ＜Ｐｗの関係が成り立つ。
【００１７】
ＲＦ信号処理部１４は、受光素子１０２からの電気信号に基づいて、ＲＦ信号と、トラッキングエラー信号と、半導体レーザ１０１によるレーザ光の焦点位置と光ディスク２位置とのずれ量に対応するフォースエラー信号（以下、ＦＥ信号と略す）とを生成し（ＦＥ信号生成手段）、これらの信号を制御部１９に対して出力する。
【００１８】
サーボ制御部１５は、ＦＥ信号及びトラッキングエラー信号に基づく制御部１９からの指令に応じて、フォーカシングコイル１０８及びトラッキングコイル１０９を駆動し、これにより、対物レンズ１０５を移動させて、光ディスク２上に照射される半導体レーザ１０１からの光の集光点の位置を制御する。
【００１９】
制御部１９は、ＣＰＵ（Ｃｅｎｔｒａｌ  Ｐｒｏｃｅｓｓｉｎｇ  Ｕｎｉｔ）を含むマイクロコンピュータで構成され、データの記録／再生動作において、光ピックアップ１０により光ディスク２に光を照射して反射光を受光すると共に、スピンドルモータ１１ｂを回転させることにより光ディスク２を回転させる。そして、制御部１９は、固有のアドレスが割り振られたセクタ単位でデータの記録／再生を行なう。
【００２０】
この制御部１９は、ＲＦ信号処理部１４により生成されたＦＥ信号に基づき、光ディスク２の反りの有無を検出し、反りが有る部位の反り方向及び反り量を計測する（反り検出手段）。光ディスク２に反りが有る場合、レーザ光の焦点位置と光ディスク２の記録層との間にずれが生じるため、このずれ量に対応するＦＥ信号を参照して、光ディスク２の反りの有無、反り方向、反り量を検出できる。さらに、制御部１９は、光ディスク２のうち反りが検出された部位のアドレス毎に、この部位の反り方向及び反り量に応じて、レーザ駆動部１２により生成されるレーザ変調信号のパルス幅を設定し、このパルス幅を記憶部１６に記憶させる（パルス幅設定手段）。
【００２１】
図２は、レーザ駆動部１２が光ピックアップ１０に対して送出するレーザ変調信号の波形を示す。同図に示されるレーザ変調信号は、ＤＶＤ−Ｒ等の追記型ＤＶＤに対応したライトストラテジに基づく信号であり、記録データとして、順に、スペース、マーク幅Ｔｗｄ＝８Ｔである記録マーク、スペース、Ｔｗｄ＝３Ｔである記録マークを光ディスク２に対して記録するための信号である。ここで、Ｔはクロック信号の周期を示す。
【００２２】
レーザ変調信号が取る値は、光ピックアップ１０に記録パワーＰｗのレーザ光を出射させるための記録レベルｐｗと、バイアスパワーＰｂのレーザ光を出射させるためのバイアスレベルｐｂの２値である。これらの間には、ｐｂ＜ｐｗの関係が成り立つ。これら２値のレベルを持つレーザ変調信号において、スペースを形成するときのレベルはバイアスレベルｐｂとなる。一方、記録マークを記録するときには、最初に、レーザ変調信号のレベルがバイアスレベルｐｂとなり、次に、波高値が記録レベルｐｗで、且つ、ボトム値がバイアスレベルｐｂであるトップパルスが発生され、これに続いて、波高値が記録レベルｐｗで、且つ、ボトム値がバイアスレベルｐｂであるマルチパルス列が発生される。トップパルスの時間幅はＴｔｏｐで、マルチパルスの時間幅はＴｍｐである。このようなレーザ変調信号により光ピックアップ１０は駆動され、該信号に基づいてレーザ光を出射し、データを光ディスク２に記録する。
【００２３】
光ディスクに反りがある場合、上記のトップパルス及びマルチパルスのパルス幅が変化される。このパルス幅は、制御部１９により設定される。パルス幅変化の詳細については、破線枠Ａで囲われたトップパルス及びマルチパルスを参照して後述する。
【００２４】
図３は、光ディスク記録装置１におけるデータ記録動作を時系列に示す。まず、ユーザにより光ディスク２が、スピンドルモータ１１ｂにより回転駆動されるターンテーブル１１ａに装填され、光ディスク２が光ディスク記録装置１に挿入されてマウントされる（＃１）。次に、反り検出動作が開始される（＃２）。この反り検出動作において、まず、制御部１９は変数ｉを１に設定し（＃３）、さらに定数ｎを設定する。定数ｎは正の整数であって０ではない。この定数ｎは、反りの有無を検出する箇所の数を表し、例えば、その数は５である。反りの有無を検出する箇所の数が５である場合、５つのアドレスＡ１〜Ａ５が、例えば、Ａ１＝４００００ｈｅｘ（ｈｅｘは六進数を示す）、Ａ２＝Ｆ００００ｈｅｘ、Ａ３＝１５００００ｈｅｘ、Ａ４＝２１００００ｈｅｘ、Ａ５＝２４００００ｈｅｘが、制御部１９により予め選出される。
【００２５】
変数ｉが定数ｎと一致しない場合（＃４でＮｏ）、制御部１９は、ＦＥ信号に基づき、アドレスＡｉで、反りの有無と、反りが有る場合はその反りの方向と、反り量とを検出する（＃５）。そして、アドレスＡｉに反りがある場合（＃６でＹｅｓ）、制御部１９は、光ディスクのうち反りが検出された部位のアドレス毎に、この部位の反り方向及び反り量に応じて、レーザ駆動部１２に生成させるレーザ変調信号のパルス幅を設定する。この設定により、反りがない場合のレーザ変調信号のパルス幅と比較して、パルス幅をオフセットする量が設定される。反りの有る部位のアドレスＡｉと、このアドレスＡｉに対応して設定されたパルス幅とは、制御部１９からの信号に基づき、記憶部１６により記憶される（＃７）。その後、変数ｉがインクリメントされる（＃８）。アドレスＡｉに反りがない場合にも（＃６でＮｏ）、変数ｉがインクリメントされる。
【００２６】
上記の動作がｎ回繰り返され、変数ｉ＝定数ｎとなったとき（＃４でＹｅｓ）、映像、音声、文書等のデータの記録動作が開始される（＃９）。データの記録時に、制御部１９は、記憶部１６を参照し、データ記録予定のアドレスに対応したパルス幅のオフセット量が設定されているか否かを判断する。パルス幅のオフセット量が設定されていた場合（＃１０でＹｅｓ）、レーザ駆動部１２は、制御部１９からの信号に基づき、その分だけレーザ変調信号のパルス幅をオフセットさせて半導体レーザ１０１を駆動し、このオフセット量が対応付けられたアドレスにデータを記録する（＃１１）。このとき、光ディスク２の反りにより、データ記録予定位置が光ディスク２の径方向にずれてしまうので、このずれに対応してトラッキング制御がなされる。一方、パルス幅のオフセット量が設定されていなかった場合（＃１０でＮｏ）、そのままのレーザ変調信号のパルス幅でデータが記録される（＃１２）。データ記録が終了した場合（＃１３でＹｅｓ）、一連のデータ記録動作は終了し、データ記録が未終了の場合（＃１３でＮｏ）、制御部１９は次のアドレスを指定し（＃１４）、＃１０以降の動作が繰り返される。
【００２７】
図４（ａ）（ｂ）（ｃ）は、光ディスク２の反りに応じて設定されたレーザ変調信号のパルス幅を示す。同図のレーザ変調信号波形は、上記図２の破線枠Ａ内の波形を拡大したものである。図４（ａ）は、光ディスク２に反りがない場合に、制御部１９からの信号に基づき、レーザ駆動部１２から光ピックアップ１０に送出されるレーザ変調信号の波形を示す。このレーザ変調信号のトップパルスの時間幅はＴｔｏｐであり、マルチパルスの時間幅はＴｍｐである。
【００２８】
同図（ｂ）に示されるように、光ディスク２が光ピックアップ１０側に反っている場合、制御部１９は、レーザ変調信号のトップパルス及びマルチパルスの立ち上がり時間を遅らせる。トップパルスの立ち上がり時間は、ΔＴｔ１だけ遅らされ、トップパルスのパルス幅は、上記のＴｔｏｐよりΔＴｔ１分だけ狭められてＴｔｏｐ１に設定される。またマルチパルスの立ち上がり時間は、ΔＴｍ１だけ遅らされ、マルチパルスのパルス幅は、上記のＴｍｐよりΔＴｍ１分だけ狭められてＴｍｐ１に設定される。この際、トップパルス及びマルチパルスの立ち下がり時間は変化されない。ΔＴｔ１とＴｔｏｐの比と、ΔＴｍ１とＴｍｐの比とは同値であってもよい。また、ΔＴｔ１、ΔＴｍ１は同値であっても、異なる値であっても構わない。
【００２９】
一方、同図（ｃ）に示されるように、光ディスク２が光ピックアップ１０と反対側に反っている場合、制御部１９は、レーザ変調信号のトップパルス及びマルチパルスの立ち上がり時間を早める。トップパルスの立ち上がり時間は、ΔＴｔ２だけ早められ、トップパルスのパルス幅は、上記のＴｔｏｐよりΔＴｔ２分だけ広げられてＴｔｏｐ２に設定される。またマルチパルスの立ち上がり時間は、ΔＴｍ２だけ早められ、マルチパルスのパルス幅は、上記のＴｍｐよりΔＴｍ２分だけ狭められてＴｍｐ２に設定される。この際、トップパルス及びマルチパルスの立ち下がり時間は変化されない。ΔＴｔ２とＴｔｏｐの比と、ΔＴｍ２とＴｍｐの比とは同値であってもよい。また、ΔＴｔ２、ΔＴｍ２は同値であっても、異なる値であっても構わない。
【００３０】
上記のトップパルス及びマルチパルスの波高値は記録レベルＰｗであるところ、上記のようにこれらのパルスのパルス幅が設定されるので、光ディスク２の反りに応じて、記録パワーＰｗのレーザ光を光ディスク２に対して照射される時間（以下、記録パワー照射時間という）が変化する。すなわち、光ディスク２が光ピックアップ１０側に反っていた場合、トップパルス及びマルチパルスのパルス幅が狭められるので、記録パワー照射時間が短くなる。このため、レーザ光のパワー量が減少する。従って、光ディスク２と光ピックアップ１０との間の距離が短くなっているのも関わらず、光ディスク２が、パワー減衰の少ない高パワーのレーザ光を、反りがないときと同時間受光することを避けられ、受光パワー量が過量となることを防止できる。一方、光ディスク２が光ピックアップ１０と反対側に反っていた場合、トップパルス及びマルチパルスのパルス幅が広げられるので、記録パワー照射時間が長くなる。このため、レーザ光のパワー量が増加する。従って、光ディスク２と光ピックアップ１０との間の距離が長くなっているのも関わらず、光ディスク２が、パワー減衰の多い低パワーのレーザ光を、反りがないときと同時間受光することを避けられ、データを記録するのに受光パワー量が足りなくなることを防止できる。このようにして、光ピックアップが出射するレーザ光のパワー量が調整されるので、反りに関わらず光ディスク２の受光パワー量を一定に保つことができ、反りのある光ディスクのデータ記録品質の向上を図ることができる。
【００３１】
本発明は、上記のような実施形態の構成に限定されるものでなく、使用目的に応じ、様々な変形が可能である。例えば、反りのある光ディスクに限定されず、傾いた光ディスクへのデータ記録時に、上記レーザ変調信号のパルス幅変化が実行されてもよい。また、光ディスク２がＤＶＤ＋Ｒである場合、レーザ変調信号を成すパルスの立ち上がり時間を早めたり遅めたりするのではなく、立ち上がり時間を変化させず、光ディスク２の反りに応じて、同パルスの立ち下り時間を早めたり遅めたりしてパルス幅を調整しても構わない。また、光ディスク２の反りに応じて、レーザ変調信号のパルス幅を調整すると共に、光ピックアップ３のチルト角を調整しても良い。
【図面の簡単な説明】
【００３２】
【図１】本発明の一実施形態に係る光ディスク記録装置の構成を示す図。
【図２】上記光ディスク記録装置によるレーザ変調信号波形を示す図。
【図３】上記光ディスク記録装置におけるデータ記録動作を示すフローチャート。
【図４】（ａ）は光ディスクに反りがない場合の上記レーザ変調信号のパルス幅を示す図、（ｂ）は上記光ディスク記録装置の光ピックアップ側に反りがある場合の上記レーザ変調信号のパルス幅を示す図、（ｃ）は同光ピックアップと反対側に反りがある場合の上記レーザ変調信号のパルス幅を示す図。
【符号の説明】
【００３３】
１  光ディスク記録装置
２  光ディスク
１０  光ピックアップ
１０１  半導体レーザダイオード（光出射手段）
１０２  受光素子（受光手段）
１２  レーザ駆動部（駆動手段）
１４  ＲＦ信号処理部（ＦＥ信号生成手段）
１６  記憶部（記憶手段）
１９  制御部（反り検出手段、パルス幅設定手段）
【図１】
2007310992.tif 000003
【図２】
2007310992.tif 000004
【図３】
2007310992.tif 000005
【図４】
2007310992.tif 000006